(57)【要約】【課題】設置や管理が容易な虫防除用のくいを提供すること。【解決手段】木製の本体１０を有するくい１であって、前記本体１０は、くい先端１１と、当該くい先端１１の反対側のくい頭１２と、前記本体１０に形成された穴２０と、を備えており、前記本体１０には、虫を防除する薬剤が含浸されているくいである。  また、木製の本体１０を形成する本体形成工程と、前記本体１０を加工する加工工程と、前記本体１０に、虫を防除する薬剤を含む水溶液を含浸させる含浸工程と、水溶液が含浸された前記本体１０を乾燥させる乾燥工程と、を備える、くい１の製造方法である。【選択図】図１
2020043835.tif 000002
【特許請求の範囲】
【請求項１】
木製の本体を有するくいであって、
前記本体は、くい先端と、当該くい先端の反対側のくい頭と、前記本体に形成された穴と、を備えており、
前記本体には、虫を防除する薬剤が含浸されているくい。
【請求項２】
前記穴のうちの少なくとも１つの穴は、当該くいが地中に設置された状態で、当該穴の開口が地中の土壌に面する状態になる、請求項１に記載のくい。
【請求項３】
前記穴は、前記本体を貫通する貫通穴である、請求項２に記載のくい。
【請求項４】
前記本体は、当該本体の長手方向の視線で当該本体を視認したときに視認される視認領域のうち、頭部側の視認面から先端部側の外周面に至る途中に中空部が存在する中空領域と、前記中空部が存在しない中実領域とを有する、請求項１から請求項３のいずれか一項に記載のくい。
【請求項５】
木製の本体を形成する本体形成工程と、
前記本体を加工する加工工程と、
前記本体に、虫を防除する薬剤を含む水溶液を含浸させる含浸工程と、
水溶液が含浸された前記本体を乾燥させる乾燥工程と、を備えており、
前記加工工程は、前記含浸工程の前に行われる第１加工工程と、前記乾燥工程の後に行われる第２加工工程のうちの少なくともいずれか一方を含むものであり、
前記加工工程に含まれる前記第１加工工程及び／又は前記第２加工工程のうちの少なくともいずれか一方は、前記本体に穴を形成する穴形成工程を含む、くいの製造方法。
【発明の詳細な説明】
【技術分野】
【０００１】
本発明は、シロアリなどの虫の防除に用いられるくいに関するものである。
【背景技術】
【０００２】
地中に生息するシロアリなどの虫を防除する方法として、いわゆるベイト剤（脱皮成長抑制剤）などの薬剤を用いた捕獲器等の装置を設置する方法がある（特許文献１、２参照）。
【先行技術文献】
【特許文献】
【０００３】
【特許文献１】特表２０００−５０３８４４号公報
【特許文献２】特開２００２−３１５４９３号公報
【発明の概要】
【発明が解決しようとする課題】
【０００４】
ところで、上述のような捕獲器を用いる方法の場合、その設置や管理に多大な手間がかかる。
本発明は、このような問題点に鑑みてなされたものであり、設置や管理が容易なくいを提供することを課題とする。
【課題を解決するための手段】
【０００５】
発明者は、このような課題を解決する手段について鋭意検討を行い、杭を用いる構成について発想を得た。そして、薬剤を含浸させた木製の杭について種々の検討や試験を行い種々の課題を得た。
【０００６】
また、発明者は、本件の発明の構成に関する基本的な事項に立ち戻って検討を行った。
杭は、本来的には、例えば、土地・区画の境界を定める目印として用いられたり、紐やロープなどで物を固定する際のアンカーとして用いられたりするものである。そして、このような目的で用いられる杭には、一般には、土地・区画の境界を定める目印として長期間使用できる耐久性や、アンカーとして機能できるだけの堅牢性などが求められる。これに対して、本発明に係るくいは、このような目的で用いられるものではない。その一方で、本発明に係るくいとしては、対象となるシロアリなどの虫を効果的に防除や駆除できる構造のものが好ましい。そして、本発明に係るくいは、対象としている虫の餌になるものであり、設置した後に抜き取ることを必ずしも想定する必要がない。そこで、このような観点を考慮しつつ検討や試験を進め、本願発明を行った。
【０００７】
本出願に係る発明は、木製の本体を有するくいであって、前記本体は、くい先端と、当該くい先端の反対側のくい頭と、前記本体に形成された穴と、を備えており、前記本体には、虫を防除する薬剤が含浸されているくいである。
【０００８】
前記穴のうちの少なくとも１つの穴は、当該くいが地中に設置された状態で、当該穴の開口が地中の土壌に面する状態になる。
そして、前記穴は、前記本体を貫通する貫通穴である。
また、前記本体は、当該本体の長手方向の視線で当該本体を視認したときに視認される視認領域のうち、頭部側の視認面から先端部側の外周面に至る途中に中空部が存在する中空領域と、前記中空部が存在しない中実領域とを有する。
【０００９】
本出願に係る別の発明は、木製の本体を形成する本体形成工程と、前記本体を加工する加工工程と、前記本体に、虫を防除する薬剤を含む水溶液を含浸させる含浸工程と、水溶液が含浸された前記本体を乾燥させる乾燥工程と、を備えており、前記加工工程は、前記含浸工程の前に行われる第１加工工程と、前記乾燥工程の後に行われる第２加工工程のうちの少なくともいずれか一方を含むものであり、前記加工工程に含まれる前記第１加工工程及び／又は前記第２加工工程のうちの少なくともいずれか一方は、前記本体に穴を形成する穴形成工程を含む、くいの製造方法である。
【発明の効果】
【００１０】
本発明に係るくいであれば、設置や管理が容易であり、防除対象の虫の防除や駆除の効果がより向上する。
【図面の簡単な説明】
【００１１】
【図１】本発明の実施形態に係るくいを示す斜視図である。
【図２】（Ａ）は、図１に示されるくいを説明する平面図であり、（Ｂ）は図１のくいを説明する正面図である。
【図３】本発明の別の実施形態に係るくいの頭部を示す説明図である。
【図４】本発明のさらに別の実施形態に係るくいの頭部を示す説明図である。
【符号の説明】
【００１２】
１…くい、10…本体、10c…中心軸、11…くい先端部、11s…外周面、
12…くい頭、12s…くい頭面、13…中間部、13s…外周面、
20…貫通穴（穴）、20a…内部空間、20s…内表面、21…開口、
30…貫通穴（穴）、30a…内部空間、30s…内表面、31…開口、32s…くい頭面、
A1…中空領域、A2…中実領域、D1,D2,D3…形成間隔、F…エサ（餌料）、
G…地中、Gs…地表、X…横幅方向、Y…縦幅方向、Z…長手方向。
【発明を実施するための形態】
【００１３】
次に、本発明に係るくい１の実施形態について図を用いて説明する。
【００１４】
図１に示されるように、くい１は本体10を有する。
本体10は、木製であり、本実施形態では木材として杉が用いられている。
なお、本体10の材質は杉に限られず、例えば、松、桐、ブナなど種々の木材を挙げることができる。
なお、本発明に係るくい１は、シロアリなどの防除対象の虫を防除／駆除するためのものである。
【００１５】
本体１は、くい先端部11、くい先端部11の反対側のくい頭12を有し、本体10に形成された貫通穴（穴）20を有する。そして、本体10には、後述の薬剤が含浸されている。
【００１６】
本体１は、くい先端部11とくい頭12との間の中間部13に形成された貫通穴20を有する。
つまり、貫通穴20の開口21は、本体10の中間部13に位置している。
そして、本体10には複数の貫通穴20が形成されている。本実施形態のくい１は、９個の貫通穴20を備えている。
本実施形態では、９個の貫通穴のうち、５つの貫通穴20（以下、一方の貫通穴20と称することがある）は、横幅方向X（図２参照）に延在するものであり、残る４つの貫通穴20（以下、他方の貫通穴20と称することがある）は縦幅方向Yに延在するものである。
横幅方向Xと縦幅方向Yは直交する方向であり、一方の貫通穴20の延在方向と、他方の貫通穴20の延在方向は直交する方向である。
そして、本体10を長手方向Zから平面視したときに、一方の貫通穴20の全ての位置が重なるように配置されている。同様に、本体10を長手方向Zから平面視したときに、他方の貫通穴20の全ての位置が重なるように配置されている。
また、本体10は、長手方向に直交する断面における断面形状が正方形の部材であり、全ての貫通穴20の延在方向は、貫通穴20の両端の開口21が形成されている外周面13sに対して直交する方向である。
また、全ての貫通穴20の延在方向は、くい頭12の端面であるくい頭面12sに対して平行であり、くい１を地中Gに設置したときに、全ての貫通穴20が水平（又は地表Gsに対して平行）になるように形成されている。
また、複数形成されている貫通穴20は、本体10の長手方向Zの配置の間隔が等間隔に配置されている。つまり、図２に示されるように、他方の貫通穴20の形成間隔D1は等間隔であり、一方の貫通穴20の形成間隔D2は等間隔であり、全ての貫通穴20の形成間隔D3は等間隔である。
【００１７】
図２に示されるように、くい１は、少なくとも１つの貫通穴１が地中Gに位置する状態になるように設置される。本実施形態では、全ての貫通穴20が地中Gに位置するように設置している。
このように、貫通穴20及び内部空間20aは、くい設置時、地中Gに位置されるものである。貫通穴20は、地表Gsに設置されたくい１の地中Gの部分に、空間（内部空間20a）を確保する構造ということができる。
【００１８】
図２に示されるように、本実施形態のくい１においては、くい１を地表Gsに設置したとき、地中Gの土壌に直接接触する外周面（土壌接触面）11s,13sと、土壌とは直接接触しない貫通穴20の内周面（土壌非接触面）20sとが確保される。
くい１を地表Gsに設置したとき、貫通穴20の開口21は土壌に面する状態になる。つまり、貫通穴20の内部空間20aは、土壌に向けて開放された空間であると共に、両端の開口21を土壌によって閉塞された空間である。
開口21が土壌に面する状態の内部空間20aは、湿潤な状態に維持される。湿潤な内部空間20a内の空気等の気体は、例えば、木材の成分や臭いなどを取り込みやすいということできる。湿潤な気体に取り込まれた木材の成分や臭いは、貫通穴20の開口21から地中Gの土壌中に放散されると考えられる。
なお、貫通穴20の内周面20sの表面積は貫通穴20の開口21の面積よりも広い。また、貫通穴20の場合は両端に２つの開口21を有するが、この２つの開口21の合計開口面積よりも広い。つまり、貫通穴20の開口面積よりも広い木材表面（内周面全表面）から放散された木材の成分や臭いが開口20に集中され、この開口20から土壌中に放散されることになる。
そして、放散された木材の成分や臭いによって、シロアリなどの防除対象の虫は、くい１に引き寄せられていると考えられる。特に、これらの虫は、くい１の開口21から貫通穴20内に引き寄せられているということができる。
【００１９】
貫通穴20の内部空間20aが湿潤な状態に維持されると、貫通穴20の内周面20sも湿潤な状態に維持される。湿潤な木材表面は、防除対象の虫にとっては摂取しやすいという点で好ましいということができる。また、貫通穴20の内周面は土壌に接触しておらず、この点でも防除対象の虫にとっては摂取しやすく、好ましいということができる。
【００２０】
また、貫通穴20は、くい１の本体10とは異なる別途のエサ（餌料）Fを設置するための餌設置部として用いることができる（図２参照）。
餌設置部には、例えば、薬剤が含浸していない別途のエサFを設置することができる。薬剤を含浸しているエサを設置してもよいが、薬剤を含浸していないエサは、木材成分や臭いなどを地中に発散させやすい点や、摂取容易性の点で好ましい。
エサFとしては、例えば、竹、桐、ブナなど、防除対象の虫が好むものを設置することができる。エサの形態としては、防除対象の虫が摂取しやすい形態や木材成分や臭いの発散性に優れている形態を採用することができる。このような形態としては、例えば、おがくずや木っ端などを挙げることができ、さらには、水分を含むエサ（含水させたエサ）を挙げることができる。湿潤なエサは、エサの木材成分や臭いなどを地中に発散させやすい点や、摂取容易性の点で好ましいと考えられる。
【００２１】
上述したように、貫通穴20は複数形成されており、本体10の外周面13sには複数の開口21が設けられている。そして、本実施形態のくい１は、くい１を任意の方向から側面視したとき、いずれの方向から視認した場合でも１つ以上の開口21を視認可能な構造になっている。このような構成は、貫通穴20の開口21が全方位的に配置された構成ということができる。このような構成であれば、木材の成分や臭いを開口21からくい１の周囲の全方向に向けて発散させやすく、防除対象の虫を全方向からくいに引き寄せることができる。本実施形態のくい１では、一方の貫通穴20及び他方の貫通穴20がそれぞれ１つ以上形成されていれば、任意の方向からみたとき１つ以上の開口を視認することができる。
【００２２】
また、上述したように、複数の貫通穴20は、くい先端側からくい頭側に、間隔を空けて配置されている。つまり、複数の貫通穴20は、くい１を設置したとき、地中の深さ方向（鉛直方向、長手方向Z）に間隔を空けて配置された状態になる。
したがって、本実施形態のくい１を地表Gsに設置すると、複数の貫通穴20（開口21）が異なる深さ位置（複数の深さ位置、高さ位置）に配置される。複数の開口21が異なる深さ位置に配置されれば、防除対象の虫を引き寄せる効果がより向上する。本実施形態のくい１では、一方の貫通穴20及び他方の貫通穴20がいずれも１つ以上形成されており、しかも、両者のうちの少なくともいずれか一方が２つ以上形成されていれば、上述したような引き寄せ効果がより向上するということができる。
【００２３】
図１に示されるように、くい１の本体10のくい頭側の端面であるくい頭面12sは平面である。このようなくい頭面12sを有するくい１の本体10を、本体10の長手方向Zの視線で、くい頭側から視認すると、くい頭面12s（視認面）を視認することができる（図２（A）参照）。
このようにして視認される視認領域（視認面）は、くい頭面12sから先端部側の外周面11sに至る途中に中空部（貫通穴20）が存在する中空領域A1（図２（A）参照）と、中空部が存在しない中実領域A2（図２（A）参照）とを有する。
なお、以下の説明では、くい１の本体10のうち、くい頭面12sの中実領域A2と、中実領域A2の長手方向Zの先端部側に位置するくい先端部11の外周面11sとの間の部分（途中に中空部が存在しない木材のみの部分）を中実部と称する。
この中実部は、くい１を地中に打ち込む際、くい頭面12に付与される打ち込み力をくい１の先端部側に向けて長手方向Zに伝達する。
【００２４】
このように、くい１は、貫通穴20を有しているのでシロアリなどの防除対象の虫を引き寄せる性能に優れており、また、打ち込み力をくい１の先端部側に向けて長手方向に伝達する中実部を有しており、一般的な杭と同様、打ち込みによって設置可能である。
なお、貫通穴20は、中実部に隣接して形成されており、隣接している中実部における打ち込み力の伝達を考慮すると、本実施形態のように、円筒形など、内周面が曲面（特には、曲面のみ）で構成されている穴が好ましいということができる。
【００２５】
なお、本実施形態では、中空領域A1は、中実領域A2より広い。
中空領域A1の構成としては、中空領域A1の面積が中実領域A2の面積よりも広い構成、同面積の構成、狭い構成が考えられる。
中実領域A2が広いほど、打ち込み力をくいの先端側に直接的に伝達する中実部の占める割合が大きくなり、打ち込み耐久性が向上すると考えられる。
他方、中空領域A1が広いほど、防除対象の虫を引き寄せる性能が向上する傾向にあると考えられる。
【００２６】
ところで、本実施形態のくい１は、後述しているように、打ち込み後の抜き取りを考慮する必要性が低く、ほとんどない。つまり、この点を考慮すれば、設置時に打ち込み耐久性が確保されている構成であればよいということができる。つまり、打ち込み完了後に、くい１の強度が低下してもよい。
なお、打ち込み耐久性については、くい１を打ち込む地表の硬さや、くい１の本体10として用いている木材の材質なども関係するものであるということも可能である。
このように、本実施形態のくい１では、打ち込み耐久性ひとつをとっても、一般的な杭とは異なり、本実施形態のくい１に特有の考慮事項を考慮して検討すべきものであるということができる。
【００２７】
また、打ち込み完了後のくい１は、防除対象の虫のエサであるので、この点を考慮すれば、打ち込み後のくい１としては摂取容易性に優れているものが好ましいということができる。別言すれば、打ち込み後、くい１が湿気を帯びるなどして軟らかくなるなど、強度が低下することはむしろ好ましいと考えることができる。つまり、この点においては、打ち込みが可能な範囲で、中空領域A1は広い方が好ましいと共に中実領域A2は狭い方が好ましいということができる。
【００２８】
また、本実施形態では、中実領域A2は、中空領域A1によって仕切られた複数の中実領域A2で構成されている。
本実施形態のくい１は、上述したように、長手方向Zに直交する直交断面（設置状態における水平断面）の形状が正方形である。つまり、くい頭面12sの形状は正方形である。
別言すれば、くい１の直交断面（くい頭面12s）は、くい１の中心軸10c（図２（A）参照）を基準として軸対称形状である。また、くい１の直交断面（くい頭面）の形状は、面対称形状である。ここで、面対称の基準となる面としては、例えば、中心軸10cを通る長手方向Zに平行であって視認領域（くい頭面12s）の対角線10sに一致する基準面や、中心軸10cを通る長手方向Zに平行であってくい頭12の外周面や中間部13の外周面13sに直交する基準面などを挙げることができる。
また、中実領域A2及び中空領域A1は、くい１の中心軸10cを基準として軸対称形状に配置されており、中実領域A2及び中空領域A1は、上述の基準面を基準として面対称形状である。
なお、くい１の取扱性等の観点からも、くい１の本体10のくい頭12及び中間部13は、軸対称形状や面対称形状が好ましい。また、くい１の先端部11は、本実施形態のように、先細形状など、くい頭12や中間部13よりも細い形状が好ましい。このように、くい１の外周部に突出している突起や引っ掛る形状がなければ、取扱性に優れる。
【００２９】
本体10に含浸させる薬剤は、いわゆる防蟻剤などの防虫、除虫用の薬剤である。
このような薬剤としては、いわゆるベイト剤（脱皮成長抑制剤）などの種々の薬剤を用いることが可能であるが、本実施形態で用いる薬剤としては、例えば、水溶性のものが好ましい。
水溶性の薬剤であれば、これを溶かした水溶液中にくい１の本体を浸漬させることで、本体10に薬剤を含浸させることができる。
なお、水溶液にした状態で、中性あるいはそれに近い性質（例えばph6.8〜7.1）であるとより好ましい。また、有機系の溶剤が含まれていないものがより好ましい。
そして、本実施形態で用いる薬剤としては、薬剤の有効成分として、人体等に害がないか害が少ないものが用いられている薬剤がより好ましい。
本実施形態では、防蟻剤のSOUFA（登録商標）を用いた。この防蟻剤は、有効成分としてホウ酸塩（より具体的にはポリホウ酸ナトリウム）を含有するものであり、難燃剤としても用いられるものである。
【００３０】
なお、本実施形態のくい１における防除対象の虫とは、例えばシロアリなど、生息領域や活動領域の一部として地中が含まれている虫である。そして、建物において用いられている木材に害を及ぼすことがある虫である。害を及ぼす行為とは、例えば、その木材を餌として食べたり、木材中に卵を産みこんだり、木材の一部を噛みちぎることなどによって持ち去って営巣や幼虫のエサとして用いたりする行為を挙げることができる。
【００３１】
次に、本実施形態のくい１の使用方法の一例について説明する。
【００３２】
くい１は、打ち込みによって、図２に示されるように、地中Gに設置される（打ち込み工程）。
打ち込み工程では、適宜の数のくい１を用意し、所望の表土エリアの地中Gに適宜の間隔で、くい１を打ち込む。
また、打ち込み工程では、少なくとも１つの貫通穴20が地中Gに位置する状態になるように、くい１を打ち込む。つまり、少なくとも１つの貫通穴20の開口（両端の開口）21が地中Gに位置する状態になり、貫通穴20の内部空間20aが土壌によって閉じられた空間になるように設置する。
図２に示される打ち込み状態は、くい１の本体10に形成された全ての貫通穴20が地中Gに位置する状態になるまで打ち込まれた状態である。
【００３３】
なお、打ち込み工程の前に、貫通穴20の内部空間20aにエサFを設置する工程を行ってもよい（エサ設置工程）。
エサFを設置する貫通穴20としては、全ての貫通穴20にエサFを設置してもよいし、選択した一部の貫通穴20内に、選択的にエサFを設置してもよい。
【００３４】
本実施形態のくい１を用いる虫防除の方法であれば、用いる器具はくい１のみであり管理が容易である。また、くい１は打ち込みにより簡単に設置できるので設置性にも優れる。なお、打ち込まれたくい１の頭部を視認したり、触れたり、軽くたたいたりすることで、くい１の状態を用意に認識でき、くい１がエサとして摂取されている状態を認識することができる。
【００３５】
次に、本実施形態のくい１の製造方法の一例について説明する。    
【００３６】
くい１の製造方法としては、木製のくい１の本体10を成形する本体成形工程と、くい１の本体10を成形及び加工する加工工程と、くい１の本体10に薬剤を含浸させる含浸工程と、含浸した薬剤を乾燥させる乾燥工程とを有する。
【００３７】
本体成形工程としては、木材から所定の長さの本体10を切り出す工程や、本体10の中間部13の形状を成形する工程が含まれる。本実施例では、ここで、長さが300mm、縦横がそれぞれ30mmの断面正方形の本体10を得た。また、後述の貫通穴20の直径は10mmあった。
本体10の中間部13の成形とは、くい１の本体10（の中間部13）の外周面13sを成形する工程である。本実施形態では、棒状の本体10を成形する工程であり、中間部13の断面形状が正方形になるように成形する。
【００３８】
加工工程としては、くい頭成形工程、くい先端成形工程、穴形成工程（貫通穴形成工程）が含まれる。
くい頭成形工程は、くい頭12の端面12sの形状を成形する工程である。本実施形態では、くい頭面12sを平面に成形する。
くい先端成形工程は、くい１の本体10の先端部11を成形する工程である。本実施形態では、くい１の本体10の先端部11を先細形状に成形する。
穴形成工程は、くい１の本体10（の中間部13）に、穴を形成する工程である。本実施形態では、貫通穴20を形成する。
【００３９】
また、加工工程としては、含浸工程前に行われる第１加工工程と、乾燥工程後に行われる第２加工工程とを挙げることができる。
第１加工工程だけを行う場合と、第２加工工程だけを行う場合と、両方を行う場合とがある。つまり、第１加工工程と第２加工工程のうちの少なくともいずれか一方を行う。
第１加工工程を行う場合、第１加工工程では、例えば、くい頭成形工程、くい先端成形工程、穴形成工程の少なくともいずれか一つの工程が行われる。
第２加工工程を行う場合、第２加工工程では、例えば、くい頭成形工程、くい先端成形工程、穴形成工程、本体再成形工程の少なくともいずれか一つの工程が行われる。
なお、本体再成形工程とは、例えば、本体成形工程で成形された中間部13の外周面13sを切削等の加工によって削って、本体10の形状を再度成形するような工程のことである。
【００４０】
含浸工程前の第１加工工程を行うと、加工後の面に薬剤を浸漬させることができる。他方、乾燥工程後の第２加工工程を行うと、薬剤を含浸した本体10の表面部分（例えば中間部の外周面13s）を除去する加工が行われることになる。
したがって、薬剤を含浸した外周面を構成要素とする場合、くい頭成形工程やくい先端部成形工程を第１加工工程において行う。なお、第２加工工程において本体再成形工程を行うと、薬剤が含浸していない外周面13sや薬剤の含浸量が少ない外周面13sが得られる。本体再成形工程は外周面13sの一部又は全部について行うことができる。
また、薬剤を含浸した内周面20sを有する貫通穴20を用いる場合は、穴形成工程を第１加工工程において行う。他方、薬剤が含浸していない内周面20sを有する貫通穴20を用いる場合は、第２加工工程において穴形成工程を行う。
なお、第1加工工程において穴成形工程を行った後、第２加工工程においても穴形成工程を行うようにしてもよい。この場合、第２加工工程において行う穴成形工程は、第１加工工程の穴成形工程で形成された後、薬剤が含浸された穴の内周面の少なくとも一部を切削等の加工方法で除去する除去工程になる。これにより、薬剤が含浸していない内周面20sや薬剤の含浸量が少ない内周面20sの一部又は全部に形成される。
【００４１】
本実施形態では、第１加工工程において、くい先端成形工程及び貫通穴形成工程を行った。そして、本実施形態では、本体成形工程において得られた平面状のくい頭の端面12sをそのまま用いたので、くい頭成形工程を行わなかった。また、第２加工工程を行わなかった。
【００４２】
含浸工程は、防除対象の虫を防除や駆除するための薬剤をくい１の本体10に含浸させる工程である。
まず、防蟻剤が溶解された常温の水溶液（ＳＯＵＦＡ：登録商標）を用意した。本実施形態では、薬剤の含有率が１６重量％であった。なお、薬剤の含有率は、例えば１５重量％から２５重量％の間などで適宜選択可能である。
【００４３】
そして、この水溶液中に本体10を浸漬させて薬剤を含浸させた（含浸工程）。
浸漬時間は３６時間であった。浸漬時間は適宜選択可能であり、例えば２４時間から６０日の間で適宜選択可能である。
なお、含浸工程としては、浸漬工程を用いる方法に限られず、そのほかの方法でもよい。その他の含浸工程としては、たとえば、刷毛などを用いて塗る方法（塗布工程）や、噴霧による方法（噴霧工程）などを挙げることができる。
【００４４】
次に、水溶液中から取り出した本体10を乾燥させた（乾燥工程）。
本実施形態では、含浸工程後のくい１の本体10を天日干しして乾燥させた。
なお、乾燥工程は、本体10に含浸した水溶液の内の水分を蒸発させて乾燥させる工程である。
乾燥時間は、６時間であった。なお、乾燥時間は、適宜決定可能である。天候等によっても左右させることもあるが、概ね数時間（４時間〜２４時間）である。
本実施形態における乾燥工程は、くいの取扱い上、不具合が生じない状態になるように、くいの本体の表面を乾燥させる工程であるということができる。
【００４５】
なお、本発明に係るくいおよびその製造方法は、実施形態で説明したくいやその製造方法に限られるものではない。本発明の趣旨を逸脱しない範囲で改変されたくいおよびその製造方法は、本発明の範囲に含まれる。
【００４６】
例えば、くい１の本体10の穴としては、上述したような両端に開口21を有する貫通穴20のほかにも、例えば、一端のみに開口31を有する穴30（１つの開口31を有する穴30）などを挙げることができる。
貫通穴の方が、穴内の湿潤性などの順応性といった点では有利であると考えられるが、一端のみに開口を有する穴の方が打ち込み耐久性などの強度の点では有利であると考えられる。
図３に示されるように、開口31が１つの穴30の場合、その開口31が土壌に面する状態になると、その穴30の内部空間30sは土壌に向けた開放された空間になると共に、1つの開口31が土壌によって閉塞された空間になる。
【００４７】
また、穴の内周面20sの表面積とは、例えば、開口が１つの開口の場合、開口の反対側に位置する底部の表面積などを含むものであり、全ての内周面の総表面積のことである。
【００４８】
また、くい頭側の端部の形状としては、図２に示されるように、くい頭面12sの面積が中間部13の断面積面12sと同じ構造（寸胴構造）のほかにも、図４に示されるように、くい頭部側が先細の形状などが考えられる。なお、打ち込み容易性の観点から、くい頭側の端部には、少なくとも一部が平面のくい頭面32sを有することが好ましいということができる。なお、このように、くい頭側が先細になっている場合であっても、中実領域A2や中空領域A1の範囲は、図２のくい１の場合と同じである。
【００４９】
また、貫通穴20の配置の間隔としては種々の間隔を採用し得るが、例えば、形成間隔D3は、貫通穴20の直径距離の２倍以上がより好ましいということができる。
【図１】
2020043835.tif 000003
【図２】
2020043835.tif 000004
【図３】
2020043835.tif 000005
【図４】
2020043835.tif 000006
【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
木製の本体を有するくいであって、
前記本体は、くい先端と、当該くい先端の反対側のくい頭と、前記本体に形成された穴と、を備えており、
前記本体は、当該本体の長手方向の視線で当該本体を視認したときに視認される視認領域のうち、頭部側の視認面から先端部側の外周面に至る途中に中空部が存在する中空領域と、前記中空部が存在しない中実領域とを有し、
前記本体には、虫を防除する薬剤が含浸されているくい。
【請求項２】
前記穴のうちの少なくとも１つの穴は、当該くいが地中に設置された状態で、当該穴の開口が地中の土壌に面する状態になる、請求項１に記載のくい。
【請求項３】
前記穴は、前記本体を貫通する貫通穴である、請求項２に記載のくい。